(57)【特許請求の範囲】
【請求項１】
上端に広口と下端に細口とを備えた有底筒状の内容器（４、１０４）と、この内容器（４、１０４）に対して所定の間隔を隔てて囲んだ外装体（８、１０８）とよりなる容器本体（３８、１３８）を設け、容器本体（３８、１３８）の上端に着脱自在に装着し、内容器の広口を開閉する蓋体（９、１０９）を設けると共に、内容器（４、１０４）内と連通し、外周壁にネジを刻設したパイプ部（１６）と、このパイプ部（１６）の先端に設けた環状鍔部（１７）と、この環状鍔部（１７）の前部に設けた操作部（１９）と、この操作部（１９）と環状鍔部（１７）との間の下部に設けた吐出口部（１８）と、パイプ部（１６）と吐出口部（１８）とを内部連通する液体通路（１５）と、この液体通路（１５）を開閉する弁体（２１）と、弁体を操作部内で操作する操作レバー（２２）とを備えた蛇口本体（２０）と、パイプ部（１６）に螺着するナット（２４）とからなる蛇口ユニット（１０）を設け、この蛇口ユニット（１０）を容器本体（３８、１３８）に固定する液体供給用容器（１、１０１）の蛇口ユニット固定方法であって、上記蛇口本体（２０）の環状鍔部（１７）は、パイプ部（１６）先端に設けた環状小径鍔部（３５）と、この環状小径鍔部（３５）より前方に間隔を隔ててこの環状小径鍔部よりも大きい径の環状大径鍔部（３６）とを設け、外装体に蛇口ユニット（１０）を固定するときは外装体の後壁に蛇口本体の環状鍔部（１７）の長さよりも長いリブ（３４）を突設し、蛇口本体のパイプ部（１６）外周よりナット（２４）を締め付けて外装体のリブ（３４）に当接し、このナット（２４）と環状大径鍔部（３６）の後壁とにて外装体を挟みつけ固定することを特徴とした液体供給用容器の蛇口ユニット固定方法。
【発明の詳細な説明】
【０００１】
【発明の属する技術分野】
本発明は、外装体に囲まれた内容器の下部より蛇口ユニットを介して内容器内の液体を吐出する液体供給用容器の蛇口ユニット固定方法に関するものである。
【０００２】
【従来の技術】
従来、液体供給用容器は上端に広口と下端に細口とを備えた有底筒状の内容器を設け、この内容器の胴部を所定の間隔を隔てて囲んだ外装ケースを設け、この外装体の下端に底部材を結合し、上端に肩部材を結合して、この外装ケース、底部材及び肩部材を外装体とし、この外装体の肩部材上端に着脱自在に装着し、内容器の広口を開閉する蓋体を設け、後端を内容器の細口と連結し、先端を外装体の前面下部に突出して、内容器内の液体を吐出する蛇口ユニットを設けていた。
【０００３】
【発明が解決しようとする課題】
しかしながら、この種の液体供給用容器では内容器の細口の孔あけ場所によって、蛇口ユニットを外装体に固定するか或いは内容器に固定するか相違していた。即ち、内容器の細口が内容器の前壁の下部に孔あけされた場合には内容器に蛇口ユニットを固定できるが、細口が内容器の底部に孔あけされた場合には外装体に蛇口ユニットを固定することとなる。
従って、蛇口ユニットも内容器に固定するものと、外装体に固定するものとでは必然的に相違することとなって内容器へ固定するもの或いは外装体へ固定するものと相似的な蛇口ユニットの金型、組立を必要とし、非常にコストアップとなると共に取り付け作業も繁雑であるという問題点があった。
【０００４】
そこで、本発明は上記の問題点を解決するためになされたものであって、内容器へ固定する蛇口ユニット或いは外装体へ固定する蛇口ユニットとを共用して低コスト化すると共に取り付け作業も容易で大幅なコストの底廉をはかることができる液体供給用容器の蛇口ユニット固定方法を提供することを目的としている。
【０００５】
【課題を解決するための手段】
本発明によれば、 液体供給用容器１、１０１の蛇口ユニット固定方法は上端に広口と下端に細口とを備えた有底筒状の内容器４、１０４と、この内容器４、１０４に対して所定の間隔を隔てて囲んだ外装体８、１０８とよりなる容器本体３８、１３８を設け、容器本体３８、１３８の上端に着脱自在に装着し、内容器の広口を開閉する蓋体９、１０９を設けると共に、内容器４、１０４内と連通し、外周壁にネジを刻設したパイプ部１６と、このパイプ部１６の先端に設けた環状鍔部１７と、この環状鍔部１７の前部に設けた操作部１９と、この操作部１９と環状鍔部１７との間の下部に設けた吐出口部１８と、パイプ部１６と吐出口部１８とを内部連通する液体通路１５と、この液体通路１５を開閉する弁体２１と、弁体を操作部内で操作する操作レバー２２とを備えた蛇口本体２０と、パイプ部１６に螺着するナット２４とからなる蛇口ユニット１０を設け、この蛇口ユニット１０を容器本体３８、１３８に固定する液体供給用容器１、１０１の蛇口ユニット固定方法であって、上記蛇口本体２０の環状鍔部１７は、パイプ部１６先端に設けた環状小径鍔部３５と、この環状小径鍔部３５より前方に間隔を隔ててこの環状小径鍔部よりも大きい径の環状大径鍔部３６とを設け、外装体に蛇口ユニット１０を固定するときは外装体の後壁に蛇口本体の環状鍔部１７の長さよりも長いリブ３４を突設し、蛇口本体のパイプ部１６外周よりナット２４を締め付けて外装体のリブ３４に当接し、このナット２４と環状大径鍔部３６の後壁とにて外装体を挟みつけ固定する方法としたものである。
【０００６】
【発明の実施の形態】
以下、本発明の実施例を図に基づいて説明する。
図中、図1は本発明の液体供給用容器の正面図、図２は本発明の外装体に蛇口ユニットを固定した液体供給用容器の脚を外した状態の縦断面図、図３は図２のＡ部拡大図、図４は本発明の蛇口ユニットの斜視図、図５は本発明の内容器に蛇口ユニットを固定した液体供給用容器の縦断面図、図６は図５のＢ部拡大図である。
【０００７】
液体供給用容器１は上端に広口２と、下端に細口３とを備えた有底筒状の内容器４と、この内容器４に対して所定の間隔を隔てて胴部を囲んだ外装ケース５、外装ケースの下端に結合の底部材６、外装ケースの上端に結合の肩部材７、この外装ケースと底部材と肩部材とを総称して外装体８とし、この外装体８と内容器４とを総称して容器本体３８とし、この外装体の肩部材７上端に着脱自在に装着し、内容器の広口を開閉する蓋体９と、後端を内容器の細口と連結し、先端を外装体の前面下部に突出して内容器内の液体を吐出する蛇口ユニット１０とから構成されている。１１はハンドル、１２は折り畳み式の脚である。
【０００８】
内容器４はステンレス、アルミ等の金属製又は合成樹脂製であって、上端を広口２とし、下端底部に細口３を備えた有底筒状に形成している。内容器４の上端は外側に拡がった環状のフランジ部２８を形成している。
内容器４は細口３より注出筒２９を一体形成している。この注出筒２９は下端に向けて延びている。３０は底ビス用のアングルである。
外装体８の外装ケース５は薄い平板状の鉄板を円筒状にカーリングして、その両端をはぜ折りした後、上端を内側に向けて段状に折り曲げ、下端を内側に向けてカーリングしている。
【０００９】
肩部材７は周下端に外装ケース５の上端折り曲げ部分を結合する結合部を形成し、中央に広い開口を形成している。
この肩部材７の広い開口を形成する周壁の下端に上述の内容器４のフランジ部２８を載置する環状フランジ部を設けている。この肩部材７は広い開口を形成する周壁の上部に後述の蓋体９を螺着する雌ネジを刻設している。
【００１０】
外装体８の底部材６は上端外周に外装ケース５の下端カーリング部分を無理嵌め結合しており、下端に折り畳み脚を収納する収納部を複数一体的に形成している。
底部材６は前壁の中央に後述の蛇口本体の後部を挿入する貫通口１３を設けている。この貫通口１３は後述の蛇口本体の環状小径鍔部を通すが環状大径鍔部を通さない大きさの径に形成されている。この貫通口１３を形成する周壁の内側には一つまたは二つ以上のリブ３４を内側に向けて一体的に形成している。
【００１１】
このリブ３４は後述の蛇口本体の環状小径鍔部の径よりも離れた位置で後述の蛇口本体に螺着されたナットを支えるようにしている。このリブ３４は蛇口ユニット１０を固定したときに後述の蛇口本体の環状小径鍔部よりもわずかに後部に延びている。
３１は内容器４のアングル３０に係止する底ビスである。この底ビス３１の締付けによって、肩部材７と底部材６間の内容器４を固く挟みつけると同時に外装ケース５をも固定することとなる。蓋体９は下部外周に肩部材の雌ネジと螺着する雄ネジを刻設している。
【００１２】
蛇口ユニット１０は内部に液体通路１５を備え、外周に雄ネジを刻設したパイプ部１６と、このパイプ部１６の前方外周に環状鍔部１７と、この環状鍔部１７前方下端に斜め下方に向けて延び液体通路１５と連通する吐出口部１８と、鍔部１７の前方で後述の操作体を収納する操作部１９と、液体通路１５内にあって吐出口部１８を開閉する弁体２１と、操作部１９の内にあって弁体２１を操作する操作レバー２２とからなる蛇口本体２０とこの蛇口本体２０のパイプ部１６後端と内容器の注出筒２９とを連結するジョイントパイプ３２と、蛇口本体２０を底部材６に固定するナット２４とからなっている。
【００１３】
２７は弁復帰用スプリングである。この環状鍔部１７はパイプ部１６先端に底部材６の貫通口１３よりも小さい径の環状小径鍔部３５と、この環状小径鍔部３５より前方に間隔を隔てて貫通口１３よりも大きい径の環状大径鍔部３６とを設けている。この環状小径鍔部３５と環状大径鍔部３６との間の外周壁には補強用の補強リブ３７を設けている。
【００１４】
蛇口ユニットの固定方法に際しては、蛇口本体２０のパイプ部１６を底部材６の貫通口１３前方より底部材６内に向けて差し込み、蛇口本体２０の環状大径鍔部３６を底部材６の貫通口１３周り前壁に当接する。次に、底部材６内に突出したパイプ部１６の後方よりナット２４を螺着して、底部材６のリブ３４に当接するまでナット２４を締め上げれば、蛇口本体２０を外装体８の底部材６前壁で固定する。
蛇口本体２０の固定後、ジョイントパイプ３２の一端を蛇口本体２０のパイプ部１６後端に結合し、他端を内容器の注出筒２９に結合している。
【００１５】
このジョイントパイプ３２の取り付けを除く蛇口ユニットの固定方法は、外装ケース５の下端に底部材６を結合する前に蛇口ユニット１０を底部材６に取付けている。
外装体８と内容器４との間の隙間には保温効果を高めるために発泡ウレタン等の充填材３３を蛇口ユニット１０取り付け後に充填してもよい。この充填材３３によって肩部材７、外装ケース５、内容器４及び底部材６を強固に固定することができる。
【００１６】
次に、図５及び図６に基づいて内容器に蛇口ユニットを固定する方法について説明する。
この液体供給用容器１０１は図２及び図３とほぼ同じであって、上端に広口１０２と、下部に細口１０３とを備えた有底筒状の内容器１０４と、この内容器１０４に対して所定の間隔を隔てて胴部を囲んだ外装ケース１０５、外装ケースの下端に結合の底部材１０６、外装ケースの上端に結合の肩部材１０７、この外装ケースと底部材と肩部材とを総称して外装体１０８とし、この外装体１０８と内容器１０４とを総称して容器本体１３８とし、この外装体の肩部材１０７上端に着脱自在に装着し、内容器の広口１０２を開閉する蓋体１０９と、後端を内容器の細口１０３と連結し、先端を外装体１０８の前面下部に突出して内容器内の液体を吐出する蛇口ユニット１０とから構成されている。
１１１はハンドルである。
【００１７】
内容器１０４はステンレス、アルミ等の金属製又は合成樹脂製であって、上端を広口１０２とし、下部に細口１０３を備えた有底筒状に形成している。この内容器１０４の下部の細口１０３は内容器の前壁下部に設けている。この内容器１０４の上端は外側に向けてカーリングしている。
外装体１０８の外装ケース１０５は薄い平板状の鉄板を円筒状に折り曲げて、その両端をはぜ折りした後、上、下端を内側に向けてカーリングしている。
【００１８】
外装ケース１０５は前壁下部に内容器の細口１０３と水平方向に開口した貫通口１１３を設けている。
この貫通口１１３の径は蛇口本体の環状小径鍔部の径よりやや大きい径である。  外装体の底部材１０６は上端外周に外装ケースの下端カーリング部分を無理嵌め結合しており、下端に折り畳みの脚１２、１２を開閉自在に装着している。
【００１９】
外装体１０８の貫通口１１３は外装ケース１０５の前壁下部に設けたが、底部材１０６を嵩高に形成して、この嵩高の底部材１０６の前壁下部に形成してもよい。
外装体１０８の肩部材１０７は下端外周に外装ケース１０５の上端カーリング部分を無理嵌め結合しており、中央に広い開口を形成している。この肩部材１０７の広い開口を形成する周壁に後述の蓋体１０９を着脱自在に装着する雌ネジを刻設している。この肩部材１０７は広い開口を形成する周壁と外装ケースの無理嵌め結合部分との間の下部に内容器１０４の上端折り曲げ部分を結合する環状結合部１４を形成している。
蓋体１０９は下部外周に肩部材の雌ネジと螺着する雄ネジを刻設している。
【００２０】
蛇口ユニット１０は上述の図３に示す外装体８の底部材６に固定される蛇口ユニットと全く同一のものであって蛇口ユニットの固定方法に際しては、前工程として内容器の細口１０３の周り内壁に内容器用シールパッキン２６を配設しておき、蛇口本体２０のパイプ部１６を外装体１０８の貫通口１１３前方より内容器１０４の細口１０３に向け、環状小径鍔部３５が内容器の細口１０３の周り外壁に当接するまで差し込む。次に内容器１０４内に突出したパイプ部１６の後方よりナット２４を螺着して内容器用シールパッキン２６を介して内容器１０４の細口１０３の周り内壁に当接し締め付ける。
【００２１】
この蛇口ユニットの固定方法によって、内容器内のパイプ部１６外周のネジとナット２４のネジとの間より流れ出ようとする液滴は内容器用シールパッキン２６で流出が阻止されて、液漏れを確実に防いでいる。
外装体１０８と内容器１０４との間の隙間には保温効果を高めるために断熱用の充填材を充填してもよい。
【００２２】
以上本発明の代表的と思われる実施例について説明したが本発明は必ずしもこれら実施例構造のみに限定されるものではなく、本発明にいう前記の構成要件を備え、かつ、本発明にいう目的を達成し、以下にいう効果を有する範囲内において適宜改変して実施することができるものである。
【００２３】
【発明の効果】
以上の説明から既に明らかなように、本発明にいうところの液体供給用容器の蛇口ユニット固定方法は、上端に広口と下端に細口とを備えた有底筒状の内容器と、この内容器に対して所定の間隔を隔てて囲んだ外装体とよりなる容器本体を設け、容器本体の上端に着脱自在に装着し、内容器の広口を開閉する蓋体を設けると共に、内容器内と連通し、外周壁にネジを刻設したパイプ部と、このパイプ部の先端に設けた環状鍔部と、この環状鍔部の前部に設けた操作部と、この操作部と環状鍔部との間の下部に設けた吐出口部と、パイプ部と吐出口部とを内部連通する液体通路と、この液体通路を開閉する弁体と、弁体を操作部内で操作する操作レバーとを備えた蛇口本体と、パイプ部に螺着するナットとからなる蛇口ユニットを設け、この蛇口ユニットを容器本体に固定する液体供給用容器の蛇口ユニット固定方法であって、上記蛇口本体の環状鍔部は、パイプ部先端に設けた環状小径鍔部と、この環状小径鍔部より前方に間隔を隔ててこの環状小径鍔部よりも大きい径の環状大径鍔部とを設け、外装体に蛇口ユニットを固定するときは外装体の後壁に蛇口本体の環状鍔部の長さよりも長いリブを突設し、蛇口本体のパイプ部外周よりナットを締め付けて外装体のリブに当接し、このナットと環状大径鍔部の後壁とにて外装体を挟みつけ固定する方法としたものであるから、内容器へ固定する蛇口ユニット或いは外装体へ固定する蛇口ユニットとを共用して低コスト化すると共に取り付け作業も容易で大幅なコストの底廉をはかることができるという顕著な効果を期待することが出来るに至ったのである。
【図面の簡単な説明】
【図１】  本発明の液体供給用容器の正面図。
【図２】  本発明の外装体に蛇口ユニットを固定した液体供給用容器の脚を外した状態の縦断面図。
【図３】  図２のＡ部拡大図。
【図４】  本発明の蛇口ユニットの斜視図。
【図５】  本発明の内容器に蛇口ユニットを固定した液体供給用容器の縦断面図。
【図６】  図５のＢ部拡大図。
【符号の説明】
１、１０１…液体供給用容器
２、１０２…広口
３、１０３…細口
４、１０４…内容器
５、１０５…外装ケース
６、１０６…底部材
７、１０７…肩部材
８、１０８…外装体
９、１０９…蓋体
１０…蛇口ユニット
１１、１１１…ハンドル
１２…脚
１３、１１３…貫通口
１４…環状結合部
１５…液体通路
１６…パイプ部
１７…環状鍔部
１８…吐出口部
１９…操作部
２０…蛇口本体
２１…弁体
２２…操作レバー
２４…ナット
２６…内容器用シールパッキン
２７…弁復帰用スプリング
２８…フランジ部
２９…注出筒
３０…底ビス用のアングル
３１…底ビス
３２…ジョイントパイプ
３３…充填材
３４…リブ
３５…環状小径鍔部
３６…環状大径鍔部
３７…補強リブ
３８、１３８…容器本体
【図１】
0003642655.tif 000002
【図２】
0003642655.tif 000003
【図３】
0003642655.tif 000004
【図４】
0003642655.tif 000005
【図５】
0003642655.tif 000006
【図６】
0003642655.tif 000007